(57)【要約】【課題】内容物の吸引終了時にストロー内部に残留する内容物の量を減少させ、内容物の無駄を防止することができるストロー及びストロー付容器を提供する。【解決手段】ストロー１０は、第１ストロー部１１と、第２ストロー部１２とを有する。第１ストロー部１１は、吸引時に管状形状を維持する剛性を備える。第２ストロー部１２は、内方ストロー部１４の下端に連結され、容器２の下部に向かって延びている。飲料の吸引時において、第１ストロー部１１は、吸引初期から終期までその管状形状を維持する。これに対し、第２ストロー部１２は、飲料の吸引初期から内部空間Ｓが所定の負圧になるまでは管状形状を維持し（飲料の流路を確保し）、所定の負圧より低くなると容器２の変形（表面部３と裏面部４との接近）に追従して変形し、吸引終了時には略扁平状をなす。【選択図】図２
2008143534.tif 000002
【特許請求の範囲】
【請求項１】
開口部を有し内容物を収容する内部空間を備えた容器と、該開口部に挿通された吸引用のストローとを有するストロー付容器において、
該ストローは、少なくとも一部が該容器の外部に位置し吸引時に管状形状を維持する剛性を備えた第１ストロー部と、該第１ストロー部と連結され該内部空間内に位置し該内容物の吸引時の負圧による該容器の変形に追従して変形可能な第２ストロー部とを備えることを特徴とするストロー付容器。
【請求項２】
該第２ストロー部は、該吸引時に所定の負圧になるまでは、管状形状を維持し、該所定の負圧より低くなると扁平状をなすように変形することを特徴とする請求項１に記載のストロー付容器。
【請求項３】
該第１ストロー部は、該内部空間内に位置する他部を備え、該他部の該開口部の近傍には、該内部空間と該他部の内部とを連通する連通穴が形成されていることを特徴とする請求項１又は請求項２に記載のストロー付容器。
【請求項４】
該第２ストロー部は、該ストローの該内部空間内に位置する部分に対して４０％以上の長さを有することを特徴とする請求項１乃至請求項３のいずれか一項に記載のストロー付容器。
【請求項５】
開口部を有し内容物を収容する内部空間を備えた容器の該開口部に挿通される吸引用のストローにおいて、
該ストローは、少なくとも一部が該容器の外部に位置し吸引時に管状形状を維持する剛性を備えた第１ストロー部と、該第１ストロー部と連結され該内部空間内に位置し該内容物の吸引時の負圧による該容器の変形に追従して変形可能な第２ストロー部とを備えることを特徴とするストロー。
【請求項６】
該第２ストロー部は、該吸引時に所定の負圧になるまでは、管状形状を維持し、該所定の負圧より低くなると扁平状をなすように変形することを特徴とする請求項５に記載のストロー。
【請求項７】
該第１ストロー部は、該内部空間内に位置する他部を備え、該他部の該開口部の近傍には、該内部空間と該他部の内部とを連通する連通穴が形成されていることを特徴とする請求項５又は請求項６に記載のストロー。
【請求項８】
該第２ストロー部は、該ストローの該内部空間内に位置する部分に対して４０％以上の長さを有することを特徴とする請求項５乃至請求項７のいずれか一項に記載のストロー。
【発明の詳細な説明】
【技術分野】
【０００１】
本発明はストロー及びストロー付容器に関し、容器に封入された内容物を吸引するためのストロー及びストロー付容器に関する。
【背景技術】
【０００２】
従来より様々なストロー付容器が使用されている。この種のストロー付容器では、内容物の吸引時に管状形状を維持する剛性を備えたストローが容器に装着される。
【発明の開示】
【発明が解決しようとする課題】
【０００３】
しかし、上記のストロー付容器では、ストローが吸引初期から終期までその管状形状を維持するため、吸引終了時においてストローの内部容積分の内容物を十分に吸引することができなかった。また、容量が少量のストロー付容器の場合には、容量に対するストロー内容積の割合が増加し、無駄になる内容物の割合が増加する。
【０００４】
そこで、本発明は、内容物の吸引終了時にストロー内部に残留する内容物の量を減少させ、内容物の無駄を防止することができるストロー及びストロー付容器を提供することを目的とする。
【課題を解決するための手段】
【０００５】
上記目的を達成するために、本発明は、開口部を有し液体を収容する内部空間を備えた容器と、該開口部に挿通された吸引用のストローとを有するストロー付容器において、該ストローは、少なくとも一部が該容器の外部に位置し吸引時に管状形状を維持する剛性を備えた第１ストロー部と、該第１ストロー部と連結され該内部空間内に位置し該液体の吸引時の負圧による該容器の変形に追従して変形可能な第２ストロー部とを備えるストロー付容器を提供している。
【０００６】
ここで、該第２ストロー部は、該吸引時に所定の負圧になるまでは、管状形状を維持し、該所定の負圧より低くなると扁平状をなすように変形することことが好ましい。
【０００７】
更に、該第１ストロー部は、該内部空間内に位置する他部を備え、該他部の該開口部の近傍には、該内部空間と該他部の内部とを連通する連通穴が形成されていることが好ましい。
【０００８】
また、該第２ストロー部は、該ストローの該内部空間内に位置する部分に対して４０％以上の長さを有することが好ましい。
【０００９】
また、本発明は、開口部を有し液体を収容する内部空間を備えた容器の該開口部に挿通される吸引用のストローにおいて、該ストローは、少なくとも一部が該容器の外部に位置し吸引時に管状形状を維持する剛性を備えた第１ストロー部と、該第１ストロー部と連結され該内部空間内に位置し該液体の吸引時の負圧による該容器の変形に追従して変形可能な第２ストロー部とを備えるストローを提供している。
【００１０】
ここで、該第２ストロー部は、該吸引時に所定の負圧になるまでは、管状形状を維持し、該所定の負圧より低くなると扁平状をなすように変形することが好ましい。
【００１１】
更に、該第１ストロー部は、該内部空間内に位置する他部を備え、該他部の該開口部の近傍には、該内部空間と該他部の内部とを連通する連通穴が形成されていることが好ましい。
【００１２】
また、該第２ストロー部は、該ストローの該内部空間内に位置する部分に対して４０％以上の長さを有することが好ましい。
【発明の効果】
【００１３】
請求項１及び請求項５に記載のストロー付容器及びストローによれば、内容物の吸引時の負圧による容器の変形に追従して変形可能な第２ストロー部とを備えるので、第２ストロー部内の内容物を吸引することができる。よって、ストローの内部に残留する内容物の量を減少させることができ、内容物の無駄を防止することができる。
【００１４】
請求項２及び請求項６に記載のストロー付容器及びストローによれば、第２ストロー部は、吸引時に所定の負圧になるまでは、管状形状を維持し、所定の負圧より低くなると扁平状をなすように変形する。よって、吸引時に所定の負圧になるまでは、管状形状を維持するので、飲料を確実に吸引することができ、所定の負圧より低くなると扁平状をなすように変形するので、第２ストロー部の内部の飲料を容易に吸引することができる。よって、ストローの内部に残留する内容物の量を減少させることができ、内容物の無駄を防止することができる。
【００１５】
請求項３及び請求項７に記載のストロー付容器及びストローによれば、第１ストロー部は、内部空間内に位置する他部を備え、他部の該開口部の近傍には、内部空間と他部の内部とを連通する連通穴が形成されている。よって、容器上部に位置する飲料を容易に吸引することができ、吸引初期に第２ストロー部が塞がったとしても、連通穴から飲料を吸引することができる。
【００１６】
請求項４及び請求項８に記載のストロー付容器及びストローによれば、第２ストロー部は、ストローの内部空間内に位置する部分に対して４０％以上の長さを有する。よって、ストローの内部に残留する内容物の量を効率的に減少させることができる。
【発明を実施するための最良の形態】
【００１７】
本発明の実施の形態によるストロー及びストロー付容器について図１及び図２に基づき説明する。図１は飲料が充填されたストロー付容器１の斜視図を示す。図２は飲料を吸引後のストロー付容器１の斜視図を示している。ストロー付容器１は飲料を収容する容器２と飲料を吸引するためのストロー１０とを有する。容器２は、表面部３と、表面部３と同形の裏面部４と、表面部３と裏面部４とを繋ぎ側部を構成する１対のガセット部５、５とにより構成される。ガセット部５、５は、折曲げ部５ａ、５ａにより断面Ｖ字形に内方に折り畳んで形成されおり（図２）、ヒートシール（熱融着）等によって表面部３及び裏面部４に融着される。即ち、表面部３の上下左右の縁部とガセット部５、５のそれぞれの表面部３に対向する縁部、及び裏面部４の上下左右の縁部とガセット部５、５のそれぞれ裏面部４に対向する縁部がヒートシールにより融着され、ヒートシール部（熱融着部）６が形成される。また、図２に示すように、表面部３の底部と裏面部４の底部とはヒートシールにより融着され、ヒートシール部（熱融着部）７が形成される。表面部３、裏面部４、ガセット部５、５、及びヒートシール部６、７により、飲料を封入する内部空間Ｓが画成される。内部空間Ｓの容積は、ガセット部５、５が変形することにより増減する。
【００１８】
表面部３、裏面部４、及びガセット部５、５は、柔軟なプラスチック材料（樹脂フィルム）のラミネートシートにて構成されている。具体的には、ポリエチレンテレフタレート（ＰＥＴ）、アルミニウム箔（ＡＬ）、二軸延伸ナイロン（ＯＮＹ）、及びリニア・ローデンシティーポリエチレン（Ｌ−ＬＤＰＥ）からなる積層フィルム、ＰＥＴ、ＯＮＹ、ＡＬ、及び無延伸ポリプロピレン（ＣＰＰ）からなる積層フィルム、ＰＥＴ、ＯＮＹ、及びＬ−ＬＤＰＥからなる積層フィルム、又はＰＥＴ、ＯＮＹ、及びＣＰＰからなる積層フィルム等により構成される。また、内部空間Ｓに封入される液体としては、例えば、飲料水、清涼飲料水、酒類、乳飲料、液体医薬品、栄養補助剤（医薬部外品）、スープ等が挙げられ、粘性の流動体でも良い。粘性の流動体としては、例えば、流動食材、ゼリー状飲料、流動性アイスクリーム、米飯類（かゆ）が挙げられる。
【００１９】
ストロー１０は、第１ストロー部１１と、第２ストロー部１２とを有する。第１ストロー部１１は、吸引時に管状形状を維持する剛性を備える。また、第１ストロー部１１は、ヒートシール部６に形成された開口部６ａに挿通され、表面部３及び裏面部４の上側の縁部に接合されている。第１ストロー部１１は、容器２の外部に位置する外方ストロー部１３と、容器２の内部（内部空間Ｓ内）に位置する内方ストロー部１４とを備える。内方ストロー部１４の開口部６ａの近傍には、内部空間Ｓと内方ストロー部１４の内部とを連通する連通穴１４ａが形成されている。第２ストロー部１２は、内方ストロー部１４の下端に連結され、容器２の下部に向かって延びている。第２ストロー部１２は、その剛性が第１ストロー部１１の剛性よりも小さく、容器２の変形（表面部３と裏面部４との接近）に追従して変形可能に構成されている。また、ストロー１０の上端には、外方ストロー部１３の流路の上端を封止するキャップ１５が設けられている。
【００２０】
飲料の吸引時において、第１ストロー部１１は、吸引初期から終期までその管状形状を維持する。これに対し、第２ストロー部１２は、飲料の吸引初期から内部空間Ｓが所定の負圧になるまでは管状形状を維持し、飲料の流路を確保し、所定の負圧より低くなると容器２の変形（表面部３と裏面部４との接近）に追従して変形し、図２に示すように吸引終了時には略扁平状をなす。よって、本実施の形態のストロー１０によれば、飲料の吸引初期には第２ストロー部１２は管状形状を維持するので、飲料を確実に吸引することができ、所定の負圧より低くなると容器２の変形に追従して変形するので、第２ストロー部１２の内部の飲料を容易に吸引することができる。よって、ストロー１０の内部に残る飲料の量を減少させ、飲料の無駄を防止することができる。
【００２１】
また、第１ストロー部１１の内方ストロー部１４には連通穴１４ａが形成されているので、容器２上部に位置する飲料を容易に吸引することができ、吸引初期に第２ストロー部１２が塞がったとしても、連通穴１４ａから飲料を吸引することができる。この場合であっても、第２ストロー部１２の内部の飲料を容易に吸引することができ、飲料の無駄を防止することができる。また、一般的に使用されるストロー付容器において、その容量は１８０ｍｌであり、ストローの内部容積は３．４４ｍｌであり、容量に対するストロー容積に占める割合は１．９１％である。本実施の形態のストロー及びストロー付容器は、容量が９０ｍｌ以下の小型の容器に用いたときに、ストローの内部容積が占める割合が増すため、その効果が特に発揮される。
【００２２】
第１ストロー部１１及び第２ストロー部１２の材質に特に制限はないが、例えば、熱可塑性樹脂、合成ゴム、合成天然ゴム、天然ゴムをその材料として用いることができる。熱可塑性樹脂としては、例えば、エチレン、プロピレン、塩化ビニル、スチレン、塩化ビニリデン、メタクリル酸メチル、フッ化エチレンなどの単独もしくは共付加重合体、アミドやエステル、フェニレンオキシド系などの重縮合体、ウレタン系などの重付加体、アセタールやエーテル系などの開環重合体などが挙げられる。本実施の形態では、ポリエチレン、ポリプロピレン、ポリアミド、エチレン−酢酸ビニル共重合樹脂、ポリエチレンテレフタレート、ポリスチレンが好ましく、ポリエチレン、ポリプロピレンが特に好ましい。
【００２３】
合成ゴムとしては、例えば、ブタジエンゴム、スチレンブタジエンゴム、イソプロピレンゴム、エチレンプロピレンゴム、ブチルゴム、クロロプレンゴム、アクリロニトリル・ブタジエンゴム、アクリルゴム、ウレタンゴム、シリコーンゴム、フッ素ゴム、多硫化ゴム、ポリエーテルゴム、クロロスルホン化ポリエチレン、ポリエピクロロヒドリンなどが挙げられる。本実施の形態では、ニトリルゴム、シリコーンゴム、イソプロピレンゴム、スチレンブタジェンゴム、ブタジエンゴム、フッ素ゴムが好ましく、シリコーンゴム、スチレンブタジエンゴム、ブタジエンゴム、フッ素ゴムが特に好ましい。本実施の形態に用いられる合成天然ゴムとしては、例えば、イソプレンゴム、ポリイソプレンが挙げられる。
【００２４】
（評価）
本発明の実施の形態におけるストロー及びストロー付容器について評価を行った。具体的には、ストローの内部空間内に位置する部分に対する第２ストロー部の割合を変化させたときの内部空間内の飲料の残量について評価を行った。評価結果について、図３から図５に基づき説明する。まず、評価に用いたストロー及びストロー付容器について説明する。図３は、評価に用いたストロー付容器の飲料が充填された状態の斜視図を示す。図４は、評価に用いたストロー付容器の飲料を吸引後の状態の斜視図を示している。評価に用いたストロー付容器１０１は、上記の実施の形態のストロー付容器１の容器２及びストロー１０に相当する容器１０２及びストロー１１０を有する。容器１０２は、上記の実施の形態の容器２の表面部３、裏面部４、及び１対のガセット部５、５に相当する表面部１０３、裏面部１０４、及び１対のガセット部１０５、１０５を有する。尚、ストロー付容器１０１では、表面部１０３の上側の縁部と裏面部１０４の上側の縁部、表面部１０３下側の縁部と裏面部１０４の下側の縁部、及び裏面部１０４の左側の縁部とガセット部１０５の縁部が、それぞれヒートシールにより融着され、ヒートシール部１０６Ａ〜１０６Ｃが形成される。表面部１０３、裏面部１０４、ガセット部１０５、１０５、及びヒートシール部１０６Ａ〜１０６Ｃにより、飲料を封入する内部空間Ｖが画成される。
【００２５】
表面部１０３、裏面部１０４、及びガセット部１０５、１０５は、厚さ２０ミクロンの二軸延伸ポリプロピレン（ＯＰＰ）フィルムと、厚さ３０ミクロンのＣＰＰフィルムによる２層のラミネートフィルムにより構成される。
【００２６】
ストロー１１０は、上記の実施の形態のストロー１０の第１ストロー部１１及び第２ストロー部１２に相当する第１ストロー部１１１及び第２ストロー部１１２とを有する。第１ストロー部１１１は、ヒートシール部１０６Ａに形成された開口部１０６ｄに挿通され、表面部１０３及び裏面部１０４の上側の縁部にヒートシールにより融着されている。第１ストロー部１１１は、上記の実施の形態の第１ストロー部１１の外方ストロー部１３及び内方ストロー部１４に相当する外方ストロー部１１３及び内方ストロー部１１４を備える。内方ストロー部１１４には、内方ストロー部１４の連通穴１４ａに相当する連通穴１１４ａが形成されている。第１ストロー部１１１は、市販のポリエチレン製のストローであり、第２ストロー部１１２は、厚さ２０ミクロンのＯＰＰフィルムと、厚さ３０ミクロンのＣＰＰフィルムによる２層のラミネートフィルムを筒状にしたものであり、第２ストロー部１１２は第１ストロー部１１１に対して熱接着されている。
【００２７】
容器１０２は、ストロー１１０がついた状態で、内寸が幅４０ｍｍ、高さ１０５ｍｍ、折込幅１０ｍｍである。ストロー１１０は、直径６ｍｍ、全長１１０ｍｍであり、内部空間Ｓ内に位置する部分（内方ストロー部１１４及び第２ストロー部１１２の合計）を７５ｍｍとして、内方ストロー部１１４の長さ及び第２ストロー部１１２の長さを相対的に変化させて評価を行なった。具体的には、表１に示す５種類のサンプルを使用し、各種類に対し５袋ずつ用意した。サンプルＮｏ．１〜２０は本発明の実施の形態のストロー付容器である。サンプルＮｏ．２１〜２５は、比較用のストロー付容器であり、吸引終了まで管状形状を維持可能なストローを有する。
【表１】
2008143534.tif 000003
【００２８】
評価は、容器１０２に蒸留水を６０ｇ以上充填し、評価者が口により吸引する前後の重量を測定し、それらの差より残液量を算出した。表２に評価結果を示す。また、図５は、ストロー１１０の内部空間Ｖ内に位置する部分（内方ストロー部１１４及び第２ストロー部１１２の合計）に対する第２ストロー部１１２の割合を変化させたときの容器１０２内の残液重量の変化を示した図である。
【表２】
2008143534.tif 000004
【００２９】
表２に示すように、本実施の形態のサンプルＮｏ．１〜５、６〜１０、１１〜１５、１６〜２０の平均の残液重量はそれぞれ１．３４ｇ、１．９４ｇ、２．５１ｇ、２．７７ｇであり、比較用のサンプルＮｏ．２１〜２５の平均の残液重量２．９５であった。よって、本実施の形態のストロー付容器１０１によれば残液重量が減少するのが確認できた。また、サンプルＮｏ．１〜５の平均の残液重量が最も少なく、第２ストロー部１１２の割合が増加すると残液重量は減少するのが確認できた。
【００３０】
また、サンプルＮｏ．１〜５の第２ストロー部１１２は、直径が６ｍｍ、長さが６０ｍｍであるので、その容積は１．７０ｃｍ３である。よって、サンプルＮｏ．１〜５の第２ストロー部１１２は、蒸留水を１．７０ｇ収容可能である。これに対し、サンプルＮｏ．１〜５の平均残液重量は１．３４ｇであり、サンプルＮｏ．２１〜２５の平均残液重量は２．９５ｇであるので、それら差は１．６１ｇであった。従って、サンプルＮｏ．１〜５の第２ストロー部１１２内の蒸留水がほぼ全て吸引できたことが確認された。また、図３に示すように、残液重量は第２ストロー部１１２の割合が４０％から急激に減少する。よって、第２ストロー部１１２の割合は、４０％以上が望ましい。
【００３１】
尚、本発明のストロー及びストロー付容器は、上述した実施の形態に限定されず、特許請求の範囲に記載した範囲で種々の変形や改良が可能である。例えば、上述した実施の形態では、第２ストロー部１２は筒状であったが、折込を持った形状であっても良い。折込を有することにより、より容易に変形することができる。また、ストロー１０は、第１ストロー部１１及び第１ストロー部１１とは別体の第２ストロー部１２からなるツーピース構造であったが、第１ストロー部及び第２ストロー部が一つの部材からなる一体型構造のものであっても良い。この場合、第２ストロー部の厚さは、第１ストロー部の厚さよりも薄く構成され、熱可塑性樹脂の射出成型により製造される。また、第１ストロー部１１が内方ストロー部１４を備えず、ストロー１０の容器２内に位置する部分全てが、第２ストロー部１２であっても良い。この場合、連通穴は、第２ストロー部１２の開口部６ａの近傍に形成される。また、容器２の形状は、上記の実施の形態の形状に限定されず、例えば、スタンディング袋、三方袋、サイドガセット袋、ピロー袋であっても良い。
【図面の簡単な説明】
【００３２】
【図１】本発明の実施の形態におけるストロー付容器において飲料が充填された状態を示す斜視図。
【図２】本発明の実施の形態におけるストロー付容器において飲料が吸引された後の状態を示す斜視図。
【図３】評価に用いた本発明の実施の形態のストロー付容器の飲料が充填された状態の斜視図を示す。
【図４】評価に用いた本発明の実施の形態のストロー付容器の飲料を吸引後の状態の斜視図を示している。
【図５】本発明の実施の形態におけるストロー付容器のストローの内部空間内に位置する部分（内方ストロー部及び第２ストロー部の合計）に対する第２ストロー部の割合を変化させたときの容器２内の残液重量の変化を示した図。
【符号の説明】
【００３３】
１      ストロー付容器
２      容器
６ｄ    開口部
１０    ストロー
１１    第１ストロー部
１２    第２ストロー部
１３    外方ストロー部
１４    内方ストロー部
１４ａ  連通穴
【図１】
2008143534.tif 000005
【図２】
2008143534.tif 000006
【図３】
2008143534.tif 000007
【図４】
2008143534.tif 000008
【図５】
2008143534.tif 000009